(57)【要約】【課題】回路遮断器のケースカバーに装備したロータリー式操作ハンドルの把手を包囲してケースカバーの前面に装着したガードフェンスについて、ガードフェンスの開放面から進入した物体，人体が操作ハンドルの把手に当たったりしても、ハンドルの位置が不測に切り換わることがないように構造改良してガード機能を高める。【解決手段】本体ケース１のケースカバー２にロータリー式操作ハンドルの把手４を備えた回路遮断器において、操作ハンドルの把手４を包囲してケースカバー２の前面にガードフェンス（モールド樹脂製）５を着脱可能に装着し、かつ該ガードフェンス５には操作ハンドルの把手４をＯＮ位置に拘束してＯＦＦ位置への移行を阻止するハンドルストッパを設けるものとし、その実施態様としてガードフェンス５の周枠から把手４の側方に向けて突き出すＬ字形構造になるハンドルストッパ５ａを一体に成形する。【選択図】        図１
2010080147.tif 000002
【特許請求の範囲】
【請求項１】
本体ケースのケースカバーにロータリー式操作ハンドルの把手を備えた回路遮断器において、
操作ハンドルの把手を包囲して前記ケースカバーの前面にモールド樹脂製のガードフェンスを着脱可能に装着し、かつ該ガードフェンスに操作ハンドルの把手をＯＮ位置に拘束してＯＦＦ位置への移行を阻止するハンドルストッパを設けたことを特徴とする回路遮断器のハンドル装置。
【請求項２】
請求項１に記載のハンドル装置において、ハンドルストッパをガードフェンスに一体成形したことを特徴とする回路遮断器のハンドル装置。
【請求項３】
請求項１に記載のハンドル装置において、ハンドルストッパを独立部品としてガードフェンスに着脱可能に装着したことを特徴とする回路遮断器のハンドル装置。
【請求項４】
本体ケースのケースカバーにロータリー式操作ハンドルの把手を備えた回路遮断器において、
操作ハンドルの把手を包囲して前記ケースカバーの前面に開閉蓋付きのガードフェンスを着脱可能に装着したことを特徴とする回路遮断器のハンドル装置。
【請求項５】
請求項４に記載のハンドル装置において、ガードフェンスの開閉蓋に、該開閉蓋の閉位置で操作ハンドルの把手をＯＮ位置に拘束してＯＦＦ位置への移行を阻止するハンドルストッパを設けたことを特徴とする回路遮断器のハンドル装置。
【請求項６】
請求項１ないし５のいずれかの項に記載のハンドル装置において、ガードフェンスの左右両側に片持ち梁形のブラケットを一体成形し、該ブラケットを介してガードフェンスをケースカバーにスナップフィット結合したことを特徴とする回路遮断器のハンドル装置。
【発明の詳細な説明】
【技術分野】
【０００１】
この発明は、マニュアルモータースタータ，配線用遮断器などを対象とする回路遮断器のハンドル装置に関し、詳しくは回路遮断器の使用状態でその操作ハンドルの把手に物体や人体が不用意に当たって回路遮断器が誤動作するのを防ぐハンドル装置のガード構造に係わる。
【背景技術】
【０００２】
頭記の配線用遮断器，漏電遮断器について、その本体ケース（モールド樹脂製）のケースカバーに搭載したロータリー式操作ハンドルの把手に物体や人体が不用意に当たって回路遮断器が誤動作するのを防護する対策として、ロータリー式操作ハンドルの把手の周域を包囲してケースカバーの前面にガードフェンス（オプション）を装備し、外方から物体，人体が操作ハンドルの把手に当たったり触れたりする確率を低く抑えるようにしたハンドル装置がこの発明と同一出願人より先に提案されている（特許文献１参照）。
【特許文献１】特開２００６−１０００２８号公報
【発明の開示】
【発明が解決しようとする課題】
【０００３】
前記特許文献１に開示されているガードフェンスを設けたハンドル装置は、ガードフェンスを設けていない回路遮断器と比べて操作ハンドルに外方から物体，人体が不用意に触れたり当たったりする確率が小さくなるものの、操作ハンドルの把手を南京錠などでＯＮ，ＯＦＦ位置に鎖錠していないと、ガードフェンスの開放面を通じてフェンスの内側に進入した物体，人体が操作ハンドルの把手に当たった場合に、不測にハンドルが切り換わって回路遮断器が誤動作するおそれがある。特に、回路遮断器の操作ハンドルをＯＮ位置にセットして電気設備に給電している使用状態では、不用意に操作ハンドルの把手に物体や人体が触れて操作ハンドルがＯＦＦ位置に切り換わると、給電が停止して電気設備の操業に重大な支障を来す。
【０００４】
この発明は上記の点に鑑みなされたものであり、先記したガードフェンス（特許文献１参照）の機能に加えて、該ガードフェンスの開放面を通じてフェンスの内側に進入した物体，人体が操作ハンドルの把手に当たっても、ハンドル位置が不測に切り換わることがないように改良してガード機能，信頼性を向上した回路遮断器のハンドル装置を提供することを目的とする。
【課題を解決するための手段】
【０００５】
上記目的を達成するために、この発明によれば、本体ケースのケースカバーにロータリー式操作ハンドルの把手を備えた回路遮断器において、前記ケースカバーに、以下述べるような構造のガードフェンスを設けるものとする。
（１）操作ハンドルの把手を包囲して前記ケースカバーの前面に、モールド樹脂製のガードフェンスを着脱可能に装着し、かつ該ガードフェンスの内側に、操作ハンドルの把手をＯＮ位置に拘束してＯＦＦ位置への移行を阻止するハンドルストッパを設ける（請求項１）。
（２）前項（１）において、ハンドルストッパをガードフェンスに一体成形する（請求項２）。
（３）前項（１）において、ハンドルストッパを独立部品として、ガードフェンスに着脱可能に装着する（請求項３）。
（４）操作ハンドルの把手を包囲して前記ケースカバーの前面に開閉蓋付きのガードフェンスを着脱可能に装着する（請求項４）。
（５）前項（４）において、ガードフェンスの開閉蓋に、該開閉蓋の閉位置で操作ハンドルの把手をＯＮ位置に拘束してＯＦＦ位置への移行を阻止するハンドルストッパを設ける（請求項５）。
（６）さらに、前項（１）〜（５）において、ガードフェンスの左右両側に片持ち梁形のブラケットを一体成形し、該ブラケットを介してガードフェンスをケースカバーにスナップフィット結合する（請求項６）。
【発明の効果】
【０００６】
上記構成のハンドル装置によれば、先記の特許文献１に開示されているガードフェンスの機能に加えて、ガードフェンスの開放面を通じてフェンスの内側に進入した物体，人体が操作ハンドルの把手に当たっても、把手がガードフェンスに追加装備したハンドルストッパに阻止されてハンドル位置が不測に切り換わることがなく、これによりガードフェンスガードの機能を一層高めることができる
【発明を実施するための最良の形態】
【０００７】
以下、この発明の実施の形態を図１〜図８に示す実施例に基づいて説明する。
まず、この発明を適用する回路遮断器の構造を図９（ａ），（ｂ）に示す。図９において、１は回路遮断器の本体ケース（モールドケース）、２は本体ケース１のケースカバー、３は電源側，負荷側の主回路端子、４はケースカバー２の前面に搭載配備したロータリー式の操作ハンドルの把手であり、この把手４を手動で図９（ａ）に示すＯＮ，ＯＦＦ位置に回すと、操作ハンドルに応動して回路遮断器の主回路接点が投入，開離する。
【実施例１】
【０００８】
次に、本発明の請求項１，２に係わる実施例を図１〜図３で説明する。この実施例では、操作ハンドルの把手４の周域を包囲してケースカバー２の前面にモールド樹脂製になるガードフェンス５（オプション）が着脱可能に装着され、かつこのガードフェンス５には、その周枠から内側へＬ字形に突き出して操作ハンドルの把手４の側方に延在し、この把手４をＯＮ位置に拘束してＯＦＦ位置への移行を阻止するハンドルストッパ５ａが一体に形成されている。
【０００９】
また、ガードフェンス５の左右後端には回路遮断器のケースカバー２の左右側壁面に向けて突き出す片持ち梁形のブラケット５ｂが一体に形成されており、このブラケット５ｂを介して次記のようにガードフェンス５をケースカバー２にスナップフィット結合して着脱可能に取付けるようにしている。
すなわち、図３で示すようにガードフェンス５の後端に突設したブラケット５の先端部には内側に突出するテーパーつきの係合凸部５ｃが形成され、またこの係合凸部５ｃに対向して回路遮断器のケースカバー２の左右側壁面には係合凹部２ａ（図２参照）が形成されている。そして、図２のようにガードフェンス５を前方から回路遮断器のケースカバー２の前面に重ね合わせるように押し込むと、前記ブラケット５ｂの係合凸部５ｃがケースカバー２の係合凹部２ａに嵌まり込んでガードフェンス５が操作ハンドルの把手４を包囲した位置に係止保持される（図１参照）。
【００１０】
この場合に、操作ハンドルがＯＮ位置にセットされていると、前記のハンドルストッパ５ａが操作ハンドルの把手４の左側側面に突き出して操作ハンドルをＯＮ位置に拘束する。したがって、この状態ではガードフェンス５の開放面から進入した物体，人体が把手４に当たったり触れたりしても、把手４はハンドルストッパ５ａの壁に阻止されてＯＦＦ位置に移行することがなく、これにより回路遮断器の不測な誤動作を防護できる。
【００１１】
なお、回路遮断器を手動でＯＦＦ位置に切換操作する場合には、前記ブラケット５ｂのスナップフィット結合を釈放してガードフェンス５をケースカバー２から一旦外した状態で、操作ハンドルの把手４をＯＮ位置から反時計方向に回してＯＦＦ位置に切換える。そして、このＯＦＦ位置でガードフェンス５を再度ケースカバー２に装着すると、図１から判るようにハンドルストッパ５ａが把手４の側面に対峙して操作ハンドルをＯＦＦ位置に拘束する。
【実施例２】
【００１２】
次に、この発明の請求項３に係わる実施例の構成を図４および図５（ａ），（ｂ）に示す。この実施例では、先記の実施例１でガードフェンス５に一体成形したハンドルストッパ５ａを、独立部品のハンドルストッパ６に代えてガードフェンス５の周枠へ着脱可能に組み付けるようにしている。
すなわち、図示例のハンドルストッパ６は断面Ｕ形に形成され、その上下両端がガードフェンス５の周枠内側に形成したガイドレール５dに前方から差し込んで着脱可能に装着されている。
【００１３】
この構成により、操作ハンドルの把手４をＯＮ位置にセットした状態でガードフェンス５にハンドルストッパ６を差込み装着すると、先記実施例１と同様にハンドルストッパ６が把手４をＯＮ位置に拘束してＯＦＦ位置への移行を阻止する。なお、手動で操作ハンドルをＯＦＦ位置に切り換えるには、ガードフェンス５を回路遮断器のケースカバー２に装着したままハンドルストッパ６を引き抜くことによりハンドルの把手４をＯＮからＯＦＦ位置に切換え操作できる。なお、図５に示す実施例の構造では、ガードフェンス５の天井一部（右側）が切欠されているが、この切欠き部を無くして図６のような角筒形状に構成してもよい。
【実施例３】
【００１４】
次に、この発明の請求項４に対応する実施例の構造を図７（ａ）〜（ｃ）に示す。この実施例では操作ハンドルの把手４を包囲してケースカバー２に着脱可能に装着したガードフェンス５に対して、その前面に開閉蓋７を付設し、常時はガードフェンス５の開放面を閉塞して外方から物体，人体が操作ハンドルの把手４に当たったり触れたりしないようにしている。これにより、ガードフェンス５のガード機能がさらに向上する。
【００１５】
この開閉蓋７は図示のようにガードフェンス５の周枠下縁にヒンジ結合して開閉自在に支持するとともに、開閉蓋７の先端側には左右両端にスナップフィット式の係合片７ａ（実施例１におけるブラケット５ｂと同じ構造）を形成し、該係合片７ａを介して開閉蓋７を閉塞位置でガードフェンス５の左右側壁面に形成した係合凹部５ｅに係止支持するようにしている。
【００１６】
なお、図示してないが、ガードフェンス５には先記の実施例１あるいは２と同様なハンドルストッパを設けて操作ハンドルの把手４をその操作位置に拘束し、開閉蓋７が開いている状態で不用意に物体，人体が操作ハンドルの把手４に当たっても不測にハンドルが切り換わらないようにすることができる。
【実施例４】
【００１７】
次に、この発明の請求項５に対応する先記実施例３の応用実施例を図８（ａ）〜（ｃ）に示す。この実施例では、ガードフェンス５に付設した開閉蓋７の内面にリブ状のハンドルストッパ７ｂが突設されている。
この構成により、回路遮断器にガードフェンス５を装着し、操作ハンドルの把手４をＯＮ位置にセットした状態で開閉蓋７を閉じると、開閉蓋７に設けた前記ハンドルストッパ７ｂが把手４の側方に突き出して先記実施例１のハンドルストッパ５ａ（図１参照）と同様に操作ハンドルをＯＮ位置に拘束する。また、操作ハンドルをＯＦＦ位置に切り換えた上で開閉蓋７を閉じれば、ハンドルの把手４がＯＦＦ位置に拘束されることになる。
【図面の簡単な説明】
【００１８】
【図１】この発明の実施例１に係わるガードフェンスを回路遮断器のケースカバーに装着した状態を表すハンドル装置の正面図
【図２】ガードフェンスの装着手順を表す図１の分解斜視図
【図３】図２におけるガードフェンスの斜視図
【図４】この発明の実施例２に係わるガードフェンスを回路遮断器のケースカバーに装着した状態を表すハンドル装置の正面図
【図５】図４におけるガードフェンスの斜視図で、（ａ），（ｂ）はそれぞれハンドルストッパの装着，取り外し状態を表す図
【図６】図５に示したガードフェンスの一部を変えた変形実施例の斜視図
【図７】この発明の実施例３に係わるハンドル装置の構成図で、（ａ）は回路遮断器に装着した開閉蓋付きガードフェンスで開閉蓋を開放した状態を表す斜視図、（ｂ）は（ａ）の側面図、（ｃ）は（ａ）の開閉蓋を閉じた状態を表す斜視図
【図８】この発明の実施例４に係わるハンドル装置の構成図で、（ａ）は回路遮断器に装着した開閉蓋付きガードフェンスで開閉蓋を閉じた状態を表す一部切欠斜視図、（ｂ）は開閉蓋を閉じた状態を表す斜視図、（ｃ）は（ａ）における開閉蓋の斜視図
【図９】この発明の適用対象となるロータリー式操作ハンドル付き回路遮断器の構成図で、（ａ）は正面図、（ｂ）は（ａ）の斜視図
【符号の説明】
【００１９】
１    回路遮断器の本体ケース
２    ケースカバー
２ａ  係合凹部
４    ロータリー式操作ハンドルの把手
５    ガードフェンス
５ａ  ハンドルストッパ
５ｂ  ブラケット
５ｃ  係合凸部
５ｄ  ガイドレール
６    独立部品のハンドルストッパ
７    開閉蓋
７ｂ  ハンドルストッパ
【図１】
2010080147.tif 000003
【図２】
2010080147.tif 000004
【図３】
2010080147.tif 000005
【図４】
2010080147.tif 000006
【図５】
2010080147.tif 000007
【図６】
2010080147.tif 000008
【図７】
2010080147.tif 000009
【図８】
2010080147.tif 000010
【図９】
2010080147.tif 000011